(57)【特許請求の範囲】
【請求項１】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、当該固定用部材はボディとカバーとをねじ結合するねじ部材からなり、カバーの背面側にボディ及び前面パネルにそれぞれ穿設した挿入孔に挿入される略円筒状の筒部を突設し、該筒部の周面にねじ部を設け、前記ねじ部材を、有底円筒状であって、筒部のねじ部に螺合するねじ部が周面に形成されたキャップ部材から構成したことを特徴とする自動販売機用スイッチ。
【請求項２】
前記プリント基板における各選択スイッチの実装部位の間の部位を通すための切欠部を前記筒部の周面に形成したことを特徴とする請求項１記載の自動販売機用スイッチ。
【請求項３】
前記プリント基板における各選択スイッチの実装部位の間の部位がボディ連結部内に納装されることを特徴とする請求項２記載の自動販売機用スイッチ。
【請求項４】
前記筒部の背面に対向配置され、前記筒部の内側への撓み量を規制するリブをボディに設けたことを特徴とする請求項１記載の自動販売機用スイッチ。
【請求項５】
前記プリント基板がＭＩＤからなることを特徴とする請求項２記載の自動販売機用スイッチ。
【請求項６】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカ
バー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、対応する商品の情報を表示する情報表示板を取り付ける取付手段をボディ連結部に設けたことを特徴とする自動販売機用スイッチ。
【請求項７】
両端に位置するボディ及びボディ連結部に、複数のボディの連結方向と略直交する方向に突出する支持リブを設け、前記取付手段は、各支持リブにおける隣接する支持リブとの対向面にそれぞれ形成され、情報表示板の端縁と係止する係止溝からなることを特徴とする請求項６記載の自動販売機用スイッチ。
【請求項８】
外部からの信号線が着脱自在に接続されるコネクタをプリント基板に設けたことを特徴とする請求項２記載の自動販売機用スイッチ。
【請求項９】
前記プリント基板における各選択スイッチの実装部位の間の部位がボディ連結部内に配置され、前記コネクタはボディ連結部内に配置されるプリント基板の部位に実装されることを特徴とする請求項８記載の自動販売機用スイッチ。
【請求項１０】
前記キャップ部材の底面に工具の先端と係止する工具係止部を形成したことを特徴とする請求項１記載の自動販売機用スイッチ。
【請求項１１】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、前記選択操作部は、カバーに穿設された釦挿通孔に挿通され、釦挿通孔から操作面が露出する操作釦を有し、操作釦の背面周縁部から背面側に向かって突出する弾性係止片を突設し、該弾性係止片の先端に釦挿通孔の端縁と係止する係止爪を設けたことを特徴とする自動販売機用スイッチ。
【請求項１２】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は、回転表示体の回転方向を含む面内において選択操作部に設けた鉛直下向きに開口する開口窓から外部に突出することを特徴とする自動販売機用スイッチ。
【請求項１３】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向下方に凸のガイド溝を選択操作部に設け、操作レバーの他端をガイド溝から外部に突出させてなることを特徴とする自動販売機用スイッチ。
【請求項１４】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向上方に凸のガイド溝を選択操作部に設け、操作レバーの他端をガイド溝から外部に突出させてなることを特徴とする自動販売機用スイッチ。
【請求項１５】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネル
を挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向に対して交差する方向に凸となるガイド溝を選択操作部に設け、操作レバーの他端をガイド溝から外部に突出させてなることを特徴とする自動販売機用スイッチ。
【請求項１６】
１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、異なる表示内容がそれぞれ表示された複数のラベルからなり、表示切換手段は、選択操作部の裏面に対して開閉自在に設けられ選択操作部の裏面との間で何れかのラベルを保持する開閉扉からなることを特徴とする自動販売機用スイッチ。
【発明の詳細な説明】
【０００１】
【発明の属する技術分野】
本発明は、１乃至複数の商品の中から、操作によって指定された商品を販売するために用いられる自動販売機用スイッチに関するものである。
【０００２】
【従来の技術】
従来の自動販売機の外観斜視図を図４０に示す。自動販売機本体１００の前面には複数の商品（商品見本）が陳列される商品陳列部１０１が設けられ、この商品陳列部１０１は透光性を有する前面パネル１０２によって閉塞されている。前面パネル１０２の前面側には、各商品に対応して設けられたスイッチ部１０４が複数列設された長尺のスイッチ部材１０３が複数取り付けられている。而して、硬貨投入口から所定の金額を投入して、所望の商品に対応するスイッチ部１０４を操作すると、スイッチ部１０４の操作により指定された商品が商品取り出し口１０５に送り出され、所望の商品を購入することができる。
【０００３】
スイッチ部材１０３は、図４１及び図４２に示すように、前面が開口した略箱状のボディ１０６と、ボディ１０６の開口を覆うカバー１０７とをねじで結合することにより構成され、ボディ１０６及びカバー１０７の内部には複数の押釦スイッチ１０８が実装されたプリント基板１０９を納装してある。ここで、押釦スイッチ１０８と対向するカバー１０７の部位には窓孔１０７ａが穿設されており、この窓孔１０７ａから操作面を露出させた状態で、押釦スイッチ１０８を操作するための操作釦１１０がカバー１０７に進退自在に取り付けられる。なお、プリント基板１０９の前面にはパッキン１１１が取り付けられており、スイッチ部材１０３内にごみなどの異物が侵入するのを防止している。
【０００４】
また、このような自動販売機用スイッチでは、それぞれの自動販売機スイッチに対応し
て、対応する商品に関する情報を表示する情報表示部が設けられている。例えば商品として缶飲料を販売する自動販売機では、その商品の価格を表示する価格表示部や、その商品が温かいか又は冷たいかを表示する冷温表示部が、自動販売機用スイッチに対応して設けられている。
【０００５】
【発明が解決しようとする課題】
上記構成の自動販売機用スイッチでは、ボディ１０６とカバー１０７とを一体に結合してスイッチ部材１０３を構成しており、スイッチ部材１０３は前面パネル１０２の前面側に取り付けられていた。ところで、自動販売機本体１００は屋外などに設置されて使用される場合があり、手荒い操作によって操作釦１１０が破損する虞があるが、上述のようにボディ１０６とカバー１０７とは一体に結合され、スイッチ部材１０３が前面パネル１０２の前面側に取り付けられているので、カバー１０７のみを交換したい場合でもスイッチ部材１０３毎交換することになり、コストアップとなるという問題があった。
【０００６】
また、価格表示部や冷温表示部などの情報表示部が自動販売機用スイッチとは別の場所に設けられているので、情報表示部の表示内容を見間違え易く、自動販売機用スイッチを押し間違える虞があった。また、価格表示部や冷温表示部などの情報表示部は、自動販売機本体に貼り付けられた表示シールなどから構成されていたので、商品を入れ替える際に表示シールを手作業で貼り替える必要があり、作業効率が悪いという問題もあった。
【０００７】
本発明は上記問題点に鑑みて為されたものであり、その目的とするところは、メンテナンス作業を容易且つ安価に行える自動販売機用スイッチを提供することにある。また、請求項１２乃至１６の発明の目的とするところは、上記目的に加えて、押し間違えを防止すると共に、商品に関する情報を表示する情報表示部の表示内容を容易に変更できる自動販売機用スイッチを提供することにある。
【０００８】
【課題を解決するための手段】
上記目的を達成するために、請求項１の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、当該固定用部材はボディとカバーとをねじ結合するねじ部材からなり、カバーの背面側にボディ及び前面パネルにそれぞれ穿設した挿入孔に挿入される略円筒状の筒部を突設し、該筒部の周面にねじ部を設け、前記ねじ部材を、有底円筒状であって、筒部のねじ部に螺合するねじ部が周面に形成されたキャップ部材から構成したことを特徴とし、スイッチ本体はカバーとボディとに分離されており、固定用部材を用いてカバーとボディとの間に前面パネルを挟持した状態で前面パネルに取り付けられているので、メンテナンス時はボディのみ又はカバーのみを交換することができ、スイッチ本体毎を交換する場合に比べてメンテナンス費用を安くできる。しかも、複数のボディがボディ連結部を介して連結されると共に、複数のカバーがカバー連結部を介して連結されており、スイッチ本体に複数の選択操作部及び選択スイッチが設けられているので、複数の選択操作部及び選択スイッチの取付作業を一度に行うことができ、取付作業の作業性が向上する。
【０００９】
請求項２の発明では、請求項１の発明において、プリント基板における各選択スイッチの実装部位の間の部位を通すための切欠部を前記筒部の周面に形成したことを特徴とし、プリント基板における各選択スイッチの実装部位の間の部位は筒部の周面に設けた切欠部に配置されるので、複数の選択スイッチを１枚のプリント基板に実装することができ、複数の選択スイッチを別々のプリント基板に実装する場合に比べてプリント基板の取り付けの手間を少なくできる。
【００１０】
請求項３の発明では、請求項２の発明において、前記プリント基板における各選択スイッチの実装部位の間の部位がボディ連結部内に納装されることを特徴とし、ボディ連結部をプリント基板の収納部に兼用することができる。
【００１１】
請求項４の発明では、請求項１の発明において、前記筒部の背面に対向配置され、前記筒部の内側への撓み量を規制するリブをボディに設けたことを特徴とし、リブによって筒部の内側への撓み量が規制されるから、筒部が内側に撓むことによってキャップ部材の締め付け強度が低下するのを防ぐことができ、締め付け強度を十分確保できる。
【００１２】
請求項５の発明では、請求項２の発明において、前記プリント基板がＭＩＤからなることを特徴とし、請求項２の発明と同様の作用を奏する。
【００１３】
請求項６の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、対応する商品の情報を表示する情報表示板を取り付ける取付手段をボディ連結部に設けたことを特徴とし、選択操作部毎に情報表示板を取り付けることができるから、商品選択時に選択操作部の押し間違えが発生するのを防止でき、且つ、ボディ連結部に取付手段を設けているので、ボディ連結部を有効に利用することができる。
【００１４】
請求項７の発明では、請求項６の発明において、両端に位置するボディ及びボディ連結部に、複数のボディの連結方向と略直交する方向に突出する支持リブを設け、前記取付手段は、各支持リブにおける隣接する支持リブとの対向面にそれぞれ形成され、情報表示板の端縁と係止する係止溝からなることを特徴とし、係止溝と情報表示板の端縁とを係止することにより、別途の部材や工具を必要とすることなく、情報表示板を容易に取り付けることができる。
【００１５】
請求項８の発明では、請求項２の発明において、外部からの信号線が着脱自在に接続されるコネクタをプリント基板に設けたことを特徴とし、信号線の着脱作業を容易に行える。
【００１６】
請求項９の発明では、請求項８の発明において、前記プリント基板における各選択スイッチの実装部位の間の部位がボディ連結部内に配置され、前記コネクタはボディ連結部内に配置されるプリント基板の部位に実装されることを特徴とし、ボディ連結部に配置されるプリント基板の部位を有効に利用することができる。
【００１７】
請求項１０の発明では、請求項１の発明において、前記キャップ部材の底面に工具の先端と係止する工具係止部を形成したことを特徴とし、工具を用いてキャップ部材の着脱作業を行うことができ、着脱作業の作業性が向上し、且つ締付トルクを十分確保できる。
【００１８】
請求項１１の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、前記選択操作部は、カバーに穿設された釦挿通孔に挿通され、釦挿通孔から操作面が露出する操作釦を有し、操作釦の背面周縁部から背面側に向かって突出する弾性係止片を突設し、該弾性係止片の先端に釦挿通孔の端縁と係止する係止爪を設けたことを特徴とし、操作釦は係止爪と釦挿通孔の端縁とを係止させることによってカバーに取り付けられるので、係止爪と釦挿通孔の端縁との係止状態を解除することにより、操作釦をカバーから容易に取り外すことができ、操作釦が破損した場合には操作釦のみを交換することができるから、メンテナンス費用を低減できる。
【００１９】
請求項１２の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は、回転表示体の回転方向を含む面内において選択操作部に設けた鉛直下向きに開口する開口窓から外部に突出することを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は選択操作部に設けた鉛直下向きに開口する開口窓から突出しており、開口窓は鉛直下向きに開口しているので、埃などが選択操作部の内部に侵入するのを防止できる。
【００２０】
請求項１３の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向下方に凸のガイド溝を選択操作部に設け、操作レバーの他端をガイド溝から外部に突出
させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向下方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上する。
【００２１】
請求項１４の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向上方に凸のガイド溝を選択操作部に設け、操作レバーの他端をガイド溝から外部に突出させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向上方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上する。しかも、ガイド溝が鉛直下方に凸となっている場合は、ガイド溝の最下点に埃などが集まるため、埃などが溜まりやすく、ガイド溝から選択操作部内に埃などが侵入する虞があるが、ガイド溝は鉛直上方に凸となっているので、鉛直下方に凸となっている場合に比べて、ガイド溝の最下点に埃などが溜まりにくく、ガイド溝から選択操作部内に埃などが侵入するのを防止できる。
【００２２】
請求項１５の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を
表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向に対して交差する方向に凸となるガイド溝を選択操作部に設け、操作レバーの他端をガイド溝から外部に突出させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向上方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上する。しかも、ガイド溝は鉛直方向に対して交差する方向に凸となっているので、操作レバーの他端をガイド溝の鉛直上側の端から鉛直下側の端へ移動させる際に、操作レバーを自重により自然落下させることができ、操作レバーの操作を容易に行える。
【００２３】
請求項１６の発明では、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、異なる表示内容がそれぞれ表示された複数のラベルからなり、表示切換手段は、選択操作部の裏面に対して開閉自在に設けられ選択操作部の裏面との間で何れかのラベルを保持する開閉扉からなることを特徴とし、表示内容の異なるラベルが複数用意されているので、開閉扉を開いてラベルを交換するだけで、表示内容を容易に変更することができ、且つ、選択操作部に開閉扉を設けているだけなので、表示切換手段を簡単な構成で実現できるから、表示切換手段を収納するスペースを小さくでき、設計の自由度が向上する。
【００２４】
【発明の実施の形態】
本発明の実施の形態を図面を参照して説明する。
【００２５】
（実施形態１）
本実施形態の自動販売機用スイッチを図１乃至図１９を参照して説明する。この自動販売機用スイッチＡは、１乃至複数の商品見本（図示せず）が陳列される商品陳列部５１を前面に有し、この商品陳列部５１が透光性を有する合成樹脂から形成された取付板５０によって閉塞された自動販売機本体Ｂに各商品見本に対応して設けられ、この自動販売機用スイッチＡを操作することによって、対応する商品を購入することができる。
【００２６】
自動販売機用スイッチＡの器体（スイッチ本体）１はボディ側ブロック６０とカバー側ブロック６１とで構成され、ボディ側ブロック６０とカバー側ブロック６１との間に取付
板５０を挟持することにより取付板５０に固定される。
【００２７】
ボディ側ブロック６０は例えばスチレン系の合成樹脂から形成され、前面が開口した略箱状であって上側辺に略半円状の突出部６０ｃがそれぞれ設けられた複数個（本実施形態では５個）の主部（ボディ）６０ａを、連結部（ボディ連結部）６０ｂを介して一列に連結することにより構成される。
【００２８】
ボディ側ブロック６０の主部６０ａには、後述するカバー側ブロック６１のリブ６４ｅ，６４ｅが挿入される円弧状の開口６０ｆ，６０ｆが同心状に穿設されている。また、ボディ側ブロック６０には、タクトスイッチよりなる押釦スイッチ（選択スイッチ）１１や発光ダイオード１２ａ，１２ｂなどの実装されたプリント基板１３がタッピングねじ６２を用いてねじ止めされている。プリント基板１３は、各突出部６０ｃの中心付近に配置され、押釦スイッチ１１及び発光ダイオード１２ａ，１２ｂが実装される部品実装部１３ｂと、ボディ側ブロック６０の連結部６０ｂ内に納装され、各部品実装部１３ｂの間を電気的且つ機械的に連結する連結部１３ｃとで構成され、連結部１３ｃの裏面には外部電線を接続するためのコネクタ６３ａ〜６３ｄが実装されている。なお、プリント基板１３の連結部６０ｂはボディ連結部６０ｂ内に収納されているので、ボディ連結部６０ｂを有効に利用することができ、またボディ連結部６０ｂ内に収納されるプリント基板１３の部位（すなわち連結部１３ｃ）の裏面にコネクタ６３ａ〜６３ｄを実装しているので、外部電線の着脱作業を容易に行うことができ、且つボディ連結部６０ｂ内に収納されるプリント基板１３の部位を有効に利用できる。
【００２９】
図１６はこの自動販売機用スイッチＡの内部回路を示す回路図であり、各スイッチ１１のオン／オフ信号はコネクタ６３ｂ，６３ｃを介して外部に出力される。また、外部からの信号に応じて発光ダイオード１２ａ，１２ｂが点灯又は消灯し、発光ダイオード１２ａの点灯状態に応じて販売可能状態を表示するとともに、発光ダイオード１２ｂの点灯状態に応じて対応する商品の売切状態を表示する。なお、本実施形態ではプリント基板１３に押釦スイッチ１１を実装しているが、プリント基板１３をＭＩＤにより構成しても良い。
【００３０】
また、ボディ側ブロック６０の両側に位置する主部６０ａ及び各連結部６０ｂには、それぞれ、主部６０ａの連結方向と略直交する方向に突出する支持リブ６０ｄが一体に突設されており、各支持リブ６０ｄにおける隣接する支持リブ６０ｄとの対向面にはそれぞれ情報表示板７０の側縁と係止する係止溝６０ｅが形成されている。情報表示板７０は略矩形板状であって、前面に対応する商品に関する情報（例えば商品として缶飲料を販売する自動販売機では、その商品の価格やその商品が温かいか又は冷たいかを示す情報など）が表示されており、両側縁を支持リブ６０ｄの係止溝６０ｅに差し込むことにより、別途の部材や工具を用いることなくボディ側ブロック６０に容易に取り付けることができる。尚、情報表示板７０の下側辺にはボディ側ブロック６０の突出部６０ｃが入り込む略半円形の切欠き部７０ａが形成されている。このように、支持リブ６０ｄを用いて情報表示板７０を押釦１４の近傍に取り付けることができるから、商品選択時に押釦１４の押し間違えが起こるのを防止でき、またボディ連結部６０ｂに情報表示板７０を取り付けるための支持リブ６０ｄを設けているので、ボディ連結部６０ｂを有効に利用することができる。
【００３１】
カバー側ブロック６１は、例えばスチレン系の合成樹脂からそれぞれ形成された裏カバー６４と化粧カバー６５とを超音波溶着して形成される。化粧カバー６５は、前面が略矩形状であって上側辺に半楕円形の突出部６５ｂがそれぞれ突設された複数個（本実施形態では例えば５個）の主部６５ａを連結片６５ｃを介して連結したような形状に形成されており、各主部６５ａには略楕円形状の窓孔（釦挿通孔）６５ｄが穿設されている。
【００３２】
化粧カバー６５の窓孔６５ｄには、それぞれ、対応する押釦スイッチ１を押し操作するための押釦（操作釦）１４が前後動自在に取り付けられている。押釦１４は透光性を有する合成樹脂（例えばポリカーボネイトなど）から形成され、前面が略楕円形であって窓孔６５ｄから前面側に露出する操作部１５と、操作部１５の円周部から背面側に垂下された側片１６とで構成される。押釦１４の裏面にはラベル３４及び防水パッキン２０を介して中カバー６６が取り付けられており、防水パッキン２０の弾性力によって押釦１４は前面側に付勢される。尚、側片１６の後縁には周方向に突出する鍔部１７が形成されており、化粧カバー６５の裏面側から窓孔６５ｄ内に、操作部１５を前面側にして押釦１４を挿入すると、鍔部１７が窓孔６５ｄの端縁と係止して、押釦１４の前面側への移動が規制され、抜け止めが行われる。
【００３３】
防水パッキン２０は可撓性及び透光性を有するシリコーン樹脂のような樹脂材料から形成され、押釦１４の裏面にラベル３４を介して当接する略楕円状の主部２０ａと、主部２０ａの周縁部から撓み部２０ｂを介して連続一体に形成され裏カバー６４の前面に接触するシート部２０ｃとで構成され、押釦スイッチ１１と対向する防水パッキン２０の部位には押釦スイッチ１１側に突出する円柱状の押圧突起２０ｄが突設される。また、中カバー６６は例えばスチレン系の合成樹脂から略楕円板状に形成され、裏カバー６４側の面（背面）には防水パッキン２０の押圧突起２０ｄが挿入される略円筒状の支持部６６ａが突設されている。また、中カバー６６の背面における発光ダイオード１２ａ，１２ｂに対応する部位には、それぞれ、発光ダイオード１２ａ，１２ｂの周りを囲う筒状のリブ６６ｂ，６６ｃが突設されており、これらのリブ６６ｂ，６６ｃによって発光ダイオード１２ａ，１２ｂからの光が漏れるのを防止している。
【００３４】
一方、裏カバー６４は例えばスチレン系の合成樹脂から形成され、略矩形板状であって上側辺に半楕円形の突出部６４ｂがそれぞれ突設された複数個（本実施形態では例えば５個）の主部６４ａを連結片６４ｃを介して連結したような形状に形成されており、各主部６４ａには略円形状の貫通孔６４ｄが穿設されている。各貫通孔６４ｄの開口縁からは周面にねじ部６４ｆが形成されたリブ（筒部）６４ｅ，６４ｅが背面側に向かって突設されている。なお、リブ６４ｅ，６４ｅは円筒の周面の各連結片６４ｃに対向する部位を切り欠いたような形状に形成されており、この切欠部にプリント基板１３の部品実装部１３ｂと連結部１３ｃとの間の部位が配置されるので、複数の押釦スイッチ１１を１枚のプリント基板１３に実装することができ、複数の押釦スイッチ１１を別々のプリント基板に実装する場合に比べて、プリント基板をボディ側ブロック６０に取り付ける手間を減らすことができる。また、取付板５０と対向する裏カバー６４の面に設けた溝内にはＯリング６７が取り付けられており、Ｏリング６７及び防水パッキン２０により器体１の内部に水などが浸入するのを防止している。ここに、裏カバー６４及び化粧カバー６５の主部６４ａ，６５ａからカバーが構成され、裏カバー６４及び化粧カバー６５の連結片６４ｃ，６５ｃからカバー連結部が構成される。
【００３５】
而して、化粧カバー６５の窓孔６５ｄ内に操作部１５を前面側にして押釦１４をそれぞれ収め、押釦１４の裏側にラベル３４を介して防水パッキン２０を取り付け、防水パッキン２０の裏側に押圧突起２０ｄを支持部６６ａ内に収めるようにして中カバー６６を取り付ける。そして、化粧カバー６５の裏側に裏カバー６４を取り付け、化粧カバー６５と裏カバー６４とを超音波溶着することによって両者が結合される。ここに、押釦１４、防水パッキン２０及び中カバー６６などから押釦スイッチ１１を操作するための選択操作部が構成される。なお、自動販売機用スイッチＡは屋内などで使用される場合があるが、上述のようにボディ側ブロック６０、化粧カバー６５、中カバー６６及び裏カバー６４は耐候性を有するスチレン系の合成樹脂から形成されているので、耐環境性を向上させることができる。
【００３６】
この自動販売機用スイッチＡが取り付けられる取付板５０には、カバー側ブロック６１のリブ６４ｅがそれぞれ挿入される複数の丸孔（挿入孔）５２が一列に穿孔されている。ところで、ボディ側ブロック６０を構成する主部６０ａの内、両側及び中央に位置する主部６０ａの前面には丸孔５２の端縁と係止離脱自在に係止する弾性を有する係止爪片６０ｈが突設されている。而して、自動販売機用スイッチＡを取付板５０に取り付ける際は、まずボディ側ブロック６０にプリント基板１３をねじ止めし、ボディ側ブロック６０の係止爪片６０ｈと取付板５０の丸孔５２の位置を合わせて、ボディ側ブロック６０を取付板５０の背面側から押し込むと、係止爪片６０ｈと丸孔５２の端縁とが係止して、ボディ側ブロック６０が取付板５０に仮固定される。尚、丸孔５２の端縁と当接する係止爪片６０ｈの面をテーパ面としているので、ボディ側ブロック６０を取付板に押し込んだ際に、係止爪片６０ｈがテーパ面に案内されて拡径されるから、ボディ側ブロック６０の取着作業
が行い易くなる。
【００３７】
その後、押釦１４と丸孔５２の位置を合わせて、カバー側ブロック６１を取付板５０に前面側から取り付けると、カバー側ブロック６１のリブ６４ｅはボディ側ブロック６０に設けた開口６０ｆを介して背面側に突出する。このリブ６４ｅに、リブ６４ｅのねじ部６４ｆと螺合するねじ部６８ｂが内周面に形成された有底円筒状のねじキャップ（キャップ部材）６８をねじ込むと、カバー側ブロック６１とねじキャップ６８との間に取付板５０とボディ側ブロック６０とが挟持され、カバー側ブロック６１とボディ側ブロック６０との間に取付板５０が挟持された状態で自動販売機用スイッチＡが取付板５０に取り付けられるのである。上述のように、自動販売機用スイッチＡの器体１はボディ側ブロック６０とカバー側ブロック６１とに分離されており、ねじキャップ６８を用いてボディ側ブロック６０とカバー側ブロック６１との間に取付板５０を挟持した状態で取付板５０に取り付けられるので、ボディ側ブロック６０又はカバー側ブロック６１が破損した際には、ボディ側ブロック６０のみ、又はカバー側ブロック６１のみを交換することができるから、器体１ごと交換する場合に比べてメンテナンス費用を削減できる。また、ねじキャップ６８をリブ６４ｅにねじ込むだけで自動販売機用スイッチＡを取付板５０に取り付けることができるので、取付作業を容易に行うことができる。
【００３８】
なお、ボディ側ブロック６０の主部６０ａ背面には略円筒状の規制リブ６０ｇが突設されており、規制リブ６０ｇの周面は開口６０ｆ，６０ｆ内に挿入されるリブ６４ｅ，６４ｅと対向している。ここで、ねじキャップ６８をリブ６４ｅにねじ込んだ際に、リブ６４ｅ，６４ｅが内側に撓むと、ねじキャップ６８の締め付け強度が低下してしまうが、規制リブ６０ｇによってリブ６４ｅが内側に撓むのを規制しているので、ねじキャップ６８の締め付け強度を十分確保することができる。
【００３９】
また、ねじキャップ６８の底部裏面には六角レンチＥのような工具の先端が差し込まれ、工具の先端と係止する六角穴（工具係止部）６８ａが形成されているので、六角レンチＥを用いてねじキャップ６８の着脱作業を行うことができ、作業性が向上し、且つ、手作業でねじキャップ６８を締め込む場合に比べて締付トルクを十分確保できる。また、六角穴６８ａはねじキャップ６８を貫通していないので、水などが六角穴６８ａを介して内部に浸入することはなく防水性を高めることができる。
【００４０】
また上述のように、ボディ側ブロック６０の裏面にはコネクタ６３ａ〜６３ｄが配置されており、図１７（ａ）〜（ｃ）に示すようにコネクタ６３ａ〜６３ｄには外部からの信号線８０が接続されるのであるが、ボディ側ブロック６０を構成する各主部６０ａの下側辺からは背面側に突出するケーブル保持リブ（ケーブル固定片）６０ｉが突設されており、ケーブル保持リブ６０ｉに信号線８０が固定されている。したがって、各コネクタ６３ａ〜６３ｄに接続される信号線８０が下方に撓んで、信号線８０が取付板５０の前面側から目視されるのを防ぐことができ、外観の見栄えが悪くなるのを防止できる。
【００４１】
上述のように本実施形態では、複数個の主部６０ａを連結部６０ｂを介して一列に連結してボディ側ブロック６０を構成すると共に、複数個の主部６４ａ，６５ａを連結部６４ｃ，６５ｃを介して一列に連結してカバー側ブロック６１を構成しており、カバー側ブロック６１の前面に複数の押釦１４を配置すると共に、器体１の内部に押釦スイッチ１１を収納しているので、押釦１４が個別に設けられた器体を複数取り付ける場合に比べて、取付作業の手間を減らすことができる。
【００４２】
なお、本実施形態では、押釦１４の鍔部１７が化粧カバー６５の窓孔６５ｄの端縁と係止することによって、押釦１４の抜け止めが行われており、化粧カバー６５と裏カバー６４とは超音波溶着されているので、押釦１４が破損した場合はカバー側ブロック６１毎交換する必要がある。そこで、図１８及び図１９に示すように、押釦１４の側片１６に切り溝１６ａを形成することによって一端が側片１６に結合された係止片（弾性係止片）１６ｂを側片１６の四方に形成し、係止片１６ｂの先端に側方に突出する係止爪１６ｃを突設することにより、押釦１４を化粧カバー６５の前面側から着脱自在に取り付けれるようにしても良い。すなわち、押釦１４の開口を化粧カバー６５側にして化粧カバー６５の窓孔６５ｄに押釦１４を押し込むと、係止片１６ｂに設けた係止爪１６ｃが窓孔６５ｄの端縁に当接し、この状態からさらに押釦１４を化粧カバー６５側に押し込むと、係止片１６ｂが内側に撓められて、係止爪１６ｃと窓孔６５ｄの端縁とが係止し、押釦１４が化粧カバー６５に取り付けられるのである。また、押釦１４を化粧カバー６５から取り外す際は、例えばマイナスドライバーなどの工具の先端で係止片１６ｂを内側に撓めると、係止爪１６ｃと窓孔６５ｄの端縁との係止状態が解除されるので、押釦１４を化粧カバー６５から容易に取り外すことができ、押釦１４が破損した場合には押釦１４のみを交換することにより対応できるから、メンテナンス費用を低減できる。
【００４３】
（実施形態２）
本実施形態の自動販売機用スイッチＡを図２０（ａ）（ｂ）を参照して説明する。尚、自動販売機用スイッチＡの基本的な構成は実施形態１と同様であるので、同一の構成要素には同一の符号を付してその説明は省略する。
【００４４】
この自動販売機用スイッチＡの器体１はカバー側ブロック６１とボディ側ブロック６０とで構成され、カバー側ブロック６１とボディ側ブロック６０との間に自動販売機本体の取付板５０を挟持した状態で取付板５０に取り付けられる。本実施形態では、化粧カバー６５のみからカバー側ブロック６１を構成しており、化粧カバー６５の裏面にはねじ穴７１ａが形成されたボス部７１を突設し、取付板５０にはボス部７１を挿通する挿通孔５３を穿設している。また、ボス部７１のねじ穴７１ａに対応するボディ側ブロック６０の部位には固定ねじ（ねじ部材）６９を挿通するためのねじ挿通孔６０ｊを穿設してある。また、中カバー６６の背面略中央には押釦スイッチ１１を押し操作するための押圧突起６６ｄを設けている。
【００４５】
而して、自動販売機用スイッチＡを取付板５０に取り付ける際は、まずボディ側ブロック６０にプリント基板１３をタッピングねじ６２を用いてねじ止めし、ボディ側ブロック６０の係止爪片６０ｈと取付板５０の丸孔５２の位置を合わせて、ボディ側ブロック６０を取付板５０の背面側から押し込むと、係止爪片６０ｈと丸孔５２の端縁とが係止して、ボディ側ブロック６０が取付板５０に仮固定される。次に、化粧カバー６５の窓孔６５ｄ内に、中カバー６６及び防水パッキン２０の取り付けたられた押釦１４を納め、押釦１４と丸孔５２の位置を合わせて、取付板５０の前面側から化粧カバー６５を取付板５０に取り付け、ねじ挿通孔６０ｊに挿通した固定ねじ６９を化粧カバー６５のボス部７１に形成したねじ穴７１ａに螺合することにより、カバー側ブロック６１とボディ側ブロック６０との間に取付板５０が挟持された状態で自動販売機用スイッチＡが取付板５０に固定されるのである。このように、本実施形態ではカバー側ブロック６１とボディ側ブロック６０との間に取付板５０が挟持された状態で、カバー側ブロック６１とボディ側ブロック６０とを固定ねじ６９によりねじ結合しているので、固定ねじ６９をねじ込むだけで自動販売機用スイッチＡの器体１を取付板５０に取り付けることができ、取付作業を容易に行うことができる。
【００４６】
（実施形態３）
本実施形態の自動販売機用スイッチＡを図２１乃至２４を参照して説明する。尚、自動販売機用スイッチＡの基本的な構成は実施形態１と同様であるので、同一の構成要素には同一の符号を付してその説明は省略する。
【００４７】
実施形態１の自動販売機用スイッチＡでは、ねじキャップ６８を裏カバー６４のリブ６４ｅに形成したねじ部６４ｆに螺合することにより、カバー側ブロック６１とボディ側ブロック６０とを結合していたが、本実施形態では、リブ６４ｅに周方向に沿って走る被係止溝６４ｇを穿設してあり、被係止溝６４ｇの一端は連通溝６４ｈを介して背面側に開放されている。一方、キャップ７２は有底円筒状であって、被係止溝６４ｇと嵌合する係止突起７２ａが内周面に突設されており、係止突起７２ａが連通溝６４ｈ内に入り込むようにしてキャップ７２を裏カバー６４に背面側から取り付け、キャップ７２を回転させると係止突起７２ａが被係止溝６４ｇの奥側に入り込む。ここで、被係止溝６４ｇの連通溝６４ｈ側の端部に比べて反対側の端部の方が背面側からの距離が長くなっているので、キャップ７２を回転させて、係止突起７２ａを図２４中のＨの位置からＩの位置まで移動させると、図２４中の距離Ｇだけ裏カバー６４が背面側に引っ張られて、被係止溝６４ｇと係止突起７２ａとが嵌合する。
【００４８】
したがって、裏カバー６４の被係止溝６４ｇとキャップ７２の係止突起７２ａとを凹凸嵌合させることにより、キャップ７２とカバー側ブロック６１との間に取付板５０とボディ側ブロック６０とが挟持され、カバー側ブロック６１とボディ側ブロック６０との間に取付板５０が挟持された状態で自動販売機用スイッチＡを取付板５０に取り付けることができ、別途の部材や工具を必要とすることなくワンタッチで取付作業を行うことができる。
【００４９】
（実施形態４）
本実施形態の自動販売機用スイッチを図２５乃至図２７を参照して説明する。この自動販売機用スイッチＡは、１乃至複数の商品（図示せず）が前面に陳列される自動販売機本体Ｂの前面に取り付けられる。自動販売機用スイッチＡの器体１は、前カバー２と裏カバー３との間に自動販売機本体Ｂの透光性を有する取付板５０を挟んだ状態でねじ３７などを用いて取付板５０に固定され、自動販売機用スイッチＡの近傍には対応する商品が陳列されている。尚、取付板５０には後述する前カバー２の貫通孔６に連通する連通孔が穿孔されている。
【００５０】
前カバー２は合成樹脂成形品からなり、背面が開口した略箱状であって前面が略矩形状に形成された主部４が複数個（本実施形態では４個）連結片４ａを介して一列に連結され、各主部４の一辺に前面が略半円形に形成された張出部５を突設したような形状に形成されており、前カバー２の前面には前カバー２を貫通する断面略円形の貫通孔６が開口している。
【００５１】
裏カバー３は合成樹脂成型品からなり、図２５（ｃ）（ｄ）に示すように、前面及び下面が開口した略箱状の主部８が複数個（本実施形態では４個）連結片８ａを介して一列に連結され、主部８の下側辺に貫通孔６と半径の略等しい略半円状の円板部９を突設したような形状に形成されている。また、主部８には裏カバー３を貫通する略矩形状の窓孔１０が形成されている。
【００５２】
裏カバー３には、押釦スイッチ１１や、発光ダイオード１２ａ，１２ｂなどが実装されたプリント基板１３が取り付けられている。プリント基板１３は長尺状であって、一方の側縁における円板部９に対応する部位に、円板部９側に突出する突片１３ａがそれぞれ突設されている。そして、プリント基板１３の突片１３ａにおける円板部９の中心に対応する部位には押釦スイッチ１１が実装され、押釦スイッチ１１の左右両側には発光ダイオード１２ａ，１２ｂがそれぞれ実装されている。尚、前面側から見て押釦スイッチ１１の左側に実装された発光ダイオード１２ａは、点灯状態に応じて例えば販売可能状態を表示するための表示灯であり、前面側から見て押釦スイッチ１１の右側に実装された発光ダイオード１２ｂは、対応する商品の売り切れ時に点灯して売切状態表示（「売切」）を行うための表示灯である。
【００５３】
また、前カバー２の貫通孔６には、押釦スイッチ１１の押し操作部１１ａを押し操作するための押釦１４が前後動自在に取り付けられている。押釦１４は、略円板状であって貫通孔６から前面側に露出する操作部１５と、操作部１５の円周部から背面側に垂下された側片１６とを有している。押釦１４の裏面には中カバー１８が取り付けられており、押し操作部１１ａと対向する中カバー１８の部位には押し操作部１１ａ側に突出する押圧突起１９が突設されている。尚、側片１６の後縁には周方向に突出する鍔部１７が形成されており、前カバー２の裏面側から貫通孔６内に、操作部１５を前面側にして押釦１４を挿入すると、鍔部１７が貫通孔６の縁と係止して、押釦１４の前面側への移動が規制され、抜け止めが行われる。ここに、前カバー２、裏カバー３、押釦１４及び押釦スイッチ１１などから選択操作部が構成される。
【００５４】
ここで、図２５乃至図２７に示す自動販売機用スイッチＡは、器体１の内部に複数（例えば４個）の押釦スイッチ１１を収納した４個用のスイッチの例であり、複数（例えば４個）の主部４を連結して前カバー２を形成すると共に、複数（例えば４個）の主部８を連結して裏カバー３を形成しているが、図２８乃至図３０に示すように１個の主部４，８で前カバー２及び裏カバー３を構成して、器体１の内部に押釦スイッチ１１を１個のみ収納するようにしても良い。尚、１用用の自動販売機用スイッチＡでは裏カバー３を、前面が開口した略箱状であって、一辺に略半円形の切欠き部７が設けられた主部８に、切欠き部７の側縁から貫通孔６と半径の略等しい円板部９を連続一体に形成したような形状に形成されている。ところで、押釦１４に設けられ対応する商品の情報を表示する情報表示部の構成は４個用の自動販売機用スイッチＡも１個用の自動販売機用スイッチＡでも同様であるので、以下では図２５乃至図３０を参照して情報表示部の説明を行う。
【００５５】
押釦１４の背面側には、対応する商品が温かいか又は冷たいかを表示する冷温表示用の回転表示体たる冷温表示板３０が配置されている。冷温表示板３０は略円板状であって、冷温表示板３０には円の中心を通る略矩形状の開口窓３１が穿設され、冷温表示板３０は開口窓３１内に中カバー１８の押圧突起１９を挿入した状態で押釦１４に回動自在に取り付けられている。ここで、操作部１５の裏側面と対向する冷温表示板３０の面における開口窓３１を挟んで対向する２つの半円部３０ａ，３０ｂには、それぞれ、「ＨＯＴ」，「ＣＯＬＤ」の文字がそれぞれ印字された表示部たるラベル３４ａ，３４ｂが貼り付けられており、２つのラベル３４ａ，３４ｂが回転方向に沿って配置されている。一方、押釦１４は透光性を有する合成樹脂から形成されており、上述した半円部３０ａ，３０ｂと略同じ大きさの略半円状の透光窓１４ａ及び発光ダイオード１２ａ，１２ｂからの光を透過させる透光部１４ｂ，１４ｃ以外の部位（図２７（ａ）中の斜線部）には例えばインモールドコーティングなどの技術を用いて表面に黒色の塗装が施されている。尚、冷温表示板３０の裏面における開口窓３１の開口縁からは背面側に突出する角筒部３３が突設されており、角筒部３３は発光ダイオード１２ａ，１２ｂからの光を透光部１４ｂ，１４ｃに導く導光路を構成している。
【００５６】
ところで、冷温表示板３０の裏面における開口窓３１の長手方向一側の部位には背面側に突出する略Ｌ字状の操作レバー３２が突設されており、操作レバー３２の操作部３２ａは冷温表示板３０の回転方向を含む面内に突出している。ここで、前カバー２と裏カバー３とを結合した状態で、円板部９の図２５（ｃ）中下半分の円周部と前カバー２との間には鉛直下向きに開口する開口窓３ａが形成されており、この開口窓３ａから外側に操作レバー３２の操作部３２ａは突出している。而して、操作レバー３２の操作部３２ａを円板部９の円周方向に沿って回動させることにより、冷温表示板３０を回動させることができる。尚、角筒部３３の後端部には切欠き部３３ａが形成されているので、冷温表示板３０を回転させる際に、押釦スイッチ１１や発光ダイオード１２ａ，１２ｂと角筒部３３とが干渉することはない。
【００５７】
ここで、操作レバー３２の操作部３２ａを図２５（ｄ）中Ｃの位置まで回転させると、ラベル３４ｂの貼り付けられた半円部３０ｂが押釦１４の透光窓１４ａに臨む位置まで移動し、透光窓１４ａを介してラベル３４ｂの「ＣＯＬＤ」という表示を読み取ることができる。一方、操作レバー３２の操作部３２ａを同図中Ｄの位置まで回転させると、ラベル３４ａの貼り付けられた半円部３０ａが押釦１４の透光窓１４ａに臨む位置まで移動し、透光窓１４ａを介してラベル３４ａの「ＨＯＴ」という表示を読み取ることができる。このように、冷温表示を行うためのラベル３４ａ，３４ｂを、押釦１４の操作部１５に設けた透光窓１４ａから目視可能な状態で押釦１４に取り付けているので、押釦１４を操作する際にラベル３４ａ，３４ｂの表示を見間違える虞が無く、押釦１４の押し間違えを防止できる。また、操作部１５の裏側面と対向する冷温表示板３０の面には、表示内容の異なる複数（本実施形態では２つ）のラベル３４ａ，３４ｂが円周方向に沿って設けられており、操作レバー３２を用いて冷温表示板３０を回転させることによって、透光窓１４ａを介して外部より目視可能となる位置にあるラベル３４ａ，３４ｂを切り換えることができるから、表示内容を容易に変更することができる。また、操作レバー３２の操作部３２ａは鉛直下向きに開口する開口窓３ａから突出しており、開口窓３ａは鉛直下向きに開口しているので、埃などが器体１の内部に侵入するのを防止できる。
【００５８】
尚、円板部９の前面側には、操作レバー３２の操作部３２ａを同図中Ｃ又はＤの位置に移動させた状態で、操作部３２ａの下側縁と当接する突起９ａが突設されているので、操作レバー３２を同図中Ｃ又はＤの位置に保持して、冷温表示板３０が回転するのを防止できる。また、操作レバー３２の操作部３２ａを同図中Ｃ又はＤの位置に移動させる際に、操作レバー３２の操作部３２ａが突起９ａを乗り越えて、クリック感が発生するので、操作レバー３２の切換位置を容易に把握できる。
【００５９】
また、前カバー２の張出部５と裏カバー３の円板部９の位置を合わせて前カバー２と裏カバー３とを結合すると、図２５（ｃ）に示すように、窓孔１０が形成された裏カバー３の部位は、前カバー２の主部４から図中上方に突出しており、前カバー２の主部４から図中上方に突出する裏カバー３の部位には、透光性を有する樹脂から形成されたレンズ２１が配設されている。
【００６０】
一方、裏カバー３の窓孔１０内には窓孔１０を塞ぐ蓋板４１がはめ込まれており、窓孔１０の内面に突設された突起１０ａにより蓋板４１は窓孔１０内に保持されている。また蓋板４１にはつまみ４１ａが突設されているので、つまみ４１ａを用いて蓋板４１を容易に取り外すことができる。ここで、取付板５０と蓋板４１との間には対応する商品の価格を示す文字（「￥１２０」）が記載されたラベル４０が納められており、ラベル４０の文字は取付板５０及びレンズ２１を介して自動販売機用スイッチＡの外部より視認可能となっている。上述のように、蓋板４１は裏カバー３に対して着脱自在となっているので、表示内容の異なるラベル４０を複数用意しておけば、蓋板４１を開けてラベル４０を交換するだけで、表示内容を容易に変更することができる。
【００６１】
ところで、器体１の内部には、押釦１４の側片１６と前カバー２の貫通孔６との間の隙間から器体１の内部に水などの異物が浸入するのを防止する防水パッキン２０が設けられている。防水パッキン２０は略円環状であって、防水パッキン２０の一方の円周部は貫通孔６の内面に接合され、他方の円周部は側片１６の内面に接合されている。而して、防水パッキン２０により押釦１４の側片１６と前カバー２の貫通孔６との間の隙間がシールされ、器体１の内部に水などの異物が浸入するのを防止することができる。また、押釦１４を前面側から背面側に押し操作すると、防水パッキン２０が押し撓められるので、防水パッキン２０の弾性力により押釦１４を復帰位置に移動させる復帰力を与えることができる。また、レンズ２１と取付板５０との間にも、レンズ２１と取付板５０との間の隙間から水が浸入するのを防止するための防水パッキン２２が取り付けられている。
【００６２】
この自動販売機用スイッチＡを操作する際は、押釦１４の操作部１５を前面側から背面側に押圧すると、押釦１４に設けた中カバー１８の押圧突起１９が押釦スイッチ１１の押し操作部１１ａを押圧するので、押釦スイッチ１１の接点状態が反転し、対応する商品を購入することができる。押釦１４が前面側から背面側に移動すると、防水パッキン２０が撓められ、防水パッキン２０に弾性力が蓄えられるので、押釦１４を背面側に押圧する力がなくなると、防水パッキン２０の弾性力によって押釦１４が復帰位置に移動する。なお、図示は省略するが、押釦１４と裏カバー３との間に、押釦１４の押し操作時に撓められ、弾性力が蓄えられるコイルばねを配置し、コイルばねと防水パッキン２０の弾性力によって押釦１４を復帰位置に移動させる復帰力を押釦１４に与えるようにしても良い。
【００６３】
（実施形態５）
実施形態４の自動販売機用スイッチＡでは、冷温表示板３０の裏面に略Ｌ字状の操作レバー３２を突設し、操作レバー３２の操作部３２ａを円周方向に突出させているが、本実施形態では、図３１（ａ）（ｂ）に示すように、冷温表示板３０の裏面に略棒状の操作レバー３２を突設し、操作レバー３２の操作部３２ａを冷温表示板３０の回転方向を含む面と略直交する面に突出させている。尚、裏カバー３及び操作レバー３２以外の構成は実施形態４の自動販売機用スイッチＡと同様であるので、同一の構成要素には同一の符号を付して、その説明を省略する。
【００６４】
冷温表示板３０は略円板状であって、冷温表示板３０には円の中心を通る略矩形状の開口窓３１が穿設され、冷温表示板３０は開口窓３１内に中カバー１８の押圧突起１９を挿入した状態で押釦１４に回動自在に取り付けられている。ここで、操作部１５の裏側面と対向する冷温表示板３０の面における開口窓３１を挟んで対向する２つの半円部３０ａ，３０ｂには、それぞれ、「ＨＯＴ」，「ＣＯＬＤ」の文字がそれぞれ印字されたラベル３４ａ，３４ｂが貼り付けられており、２つのラベル３４ａ，３４ｂが回転方向に沿って配置されている。ここで、冷温表示板３０が、ラベル３４ａの貼り付けられた半円部３０ａを図３１（ｂ）中上側、ラベル３４ｂの貼り付けられた半円部３０ｂを図中下側にして、押釦１４内に納装された状態で、冷温表示板３０裏面の開口窓３１に対して図中右側の部位に操作レバー３２が突設されている。
【００６５】
また裏カバー３は実施形態４と略同様の形状であり、実施形態４では操作レバー３２の操作部３２ａを冷温表示板３０の回転方向を含む面内に突出させるため、円板部９の円周部と取付板５０との間に鉛直下向きに開口する開口窓３ａを設けているが、本実施形態では操作レバー３２が冷温表示板３０の回転方向を含む面と略直交する方向に突出しているので、裏カバー３の円板部９に操作レバー３２の操作部３２ａを挿通させる略円弧状のガイド溝９ｂが穿設されている。尚、操作レバー３２にはガイド溝９ｂの幅よりも径の大きい鍔部３２ｂが設けられており、押釦１４を背面側に押し込んだ際に鍔部３２ｂがガイド溝９ｂの縁に当接するので、押釦１４の押し込み量を規制することができる。また、円板部９の円周部と取付板５０との間の開口窓３ａは、円板部９の円周部から前面側に突設された側片９ｃによって閉塞されている。
【００６６】
ここで、ガイド溝９ｂは鉛直方向下方に凸となる半円状に形成されており、操作レバー３２の操作部３２ａをガイド溝９ｂの図３１（ｂ）中右端の位置まで移動させると、ラベル３４ａの貼り付けられた半円部３０ａが押釦１４の透光窓１４ａに臨む位置まで移動し、透光窓１４ａを介してラベル３４ａの「ＨＯＴ」という表示を読み取ることができる。一方、操作レバー３２の操作部３２ａをガイド溝９ｂの図中左端の位置まで移動させると、ラベル３４ｂの貼り付けられた半円部３０ｂが押釦１４の透光窓１４ａに臨む位置まで移動し、透光窓１４ａを介してラベル３４ｂの「ＣＯＬＤ」という表示を読み取ることができる。尚、ガイド溝９ｂの端面には、操作レバー３２の操作部３２ａをガイド溝９ｂの右端又は左端の端部に移動させた状態で、操作部３２ａの周面と当接する突起９ｄが突設されているので、操作レバー３２をガイド溝９ｂ両端の位置に保持し、冷温表示板３０が回転するのを防止できる。また、操作レバー３２の操作部３２ａをガイド溝９ｂ両端の位置に移動させる際に、操作レバー３２の操作部３２ａが突起９ｄを乗り越えて、クリック感が発生するので、操作レバー３２の切換位置を容易に把握できる。また、操作レバー３２の操作部３２ａをガイドするガイド溝９ｂは円板部９に設けられており、ガイド溝９ｂを見ながら操作レバー３２を操作することができるので、操作部３２ａの切換位置を容易に把握することができるから、操作性が向上する。
【００６７】
ところで、本実施形態の自動販売機用スイッチＡは、器体１内に押釦スイッチ１１が４個納装され、各押釦スイッチ１１を押し操作するための押釦１４が４個設けられた４個用のスイッチを例にして説明したが、押釦スイッチ１１や押釦１４の個数を４個に限定する趣旨のものではなく、図３２に示す自動販売機用スイッチＡは、器体１内に押釦スイッチ１１が１個納装され、押釦スイッチ１１を押し操作するための押釦１４が１個設けられた１個用のスイッチＡの例である。
【００６８】
（実施形態６）
実施形態５の自動販売機用スイッチＡでは、冷温表示板３０の裏面に略棒状の操作レバー３２を突設し、操作レバー３２の操作部３２ａを冷温表示板３０の回転方向を含む面と略直交する面に突出させており、裏カバー３の円板部９に操作部３２ａをガイドする鉛直方向下方に凸のガイド溝９ｂを形成しているが、本実施形態では図３３（ａ）（ｂ）に示すように、裏カバー３の円板部９に操作部３２ａをガイドする鉛直方向上方に凸のガイド溝９ｂを形成している。尚、ガイド溝９ｂ以外の構成は実施形態５の自動販売機用スイッチＡと同様であるので、同一の構成要素には同一の符号を付して、その説明を省略する。
【００６９】
ガイド溝９ｂは鉛直方向上方に凸となる半円状に形成されており、操作レバー３２の操作部３２ａをガイド溝９ｂの図３３（ｂ）中右端の位置まで移動させると、ラベル３４ａの貼り付けられた半円部３０ａが押釦１４の透光窓１４ａに臨む位置まで移動し、透光窓１４ａを介してラベル３４ａの「ＨＯＴ」という表示を読み取ることができる。一方、操作レバー３２の操作部３２ａをガイド溝９ｂの図中左端の位置まで移動させると、ラベル３４ｂの貼り付けられた半円部３０ｂが押釦１４の透光窓１４ａに臨む位置まで移動し、透光窓１４ａを介してラベル３４ｂの「ＣＯＬＤ」という表示を読み取ることができる。ここで、実施形態５のようにガイド溝９ｂが鉛直方向下方に凸となっている場合は、ガイド溝９ｂの最下点に埃などが溜まりやすく、器体１の内部に埃などが侵入しやすいが、本実施形態ではガイド溝９ｂが鉛直方向上方に凸となっているので、鉛直方向下方に凸となっている場合に比べて、ガイド溝９ｂの両端部に埃が溜まりにくく、器体１内に埃などが侵入しにくくなっている。
【００７０】
ところで、本実施形態の自動販売機用スイッチＡは、器体１内に押釦スイッチ１１が４個納装され、各押釦スイッチ１１を押し操作するための押釦１４が４個設けられた４個用のスイッチを例にして説明したが、押釦スイッチ１１や押釦１４の個数を４個に限定する趣旨のものではなく、図３４に示す自動販売機用スイッチＡは、器体１内に押釦スイッチ１１が１個納装され、押釦スイッチ１１を押し操作するための押釦１４が１個設けられた１個用のスイッチＡの例である。
【００７１】
（実施形態７）
実施形態５又は６の自動販売機用スイッチＡでは、冷温表示板３０の裏面に略棒状の操作レバー３２を突設し、操作レバー３２の操作部３２ａを冷温表示板３０の回転方向を含む面と略直交する面に突出させており、裏カバー３の円板部９に操作部３２ａをガイドする鉛直方向下方又は上方に凸のガイド溝９ｂを形成しているが、本実施形態では裏カバー３の円板部９に鉛直方向と交差する方向に凸となる円弧状のガイド溝９ｂを形成している。尚、ガイド溝９ｂ以外の構成は実施形態５又は６の自動販売機用スイッチＡと同様であるので、実施形態５又は６の自動販売機用スイッチＡと同一の構成要素には同一の符号を付して、その説明を省略する。
【００７２】
冷温表示板３０は略円板状であって、円の中心を通る略矩形状の開口窓３１が穿設されており、冷温表示板３０前面における開口窓３１を挟んで対向する２つの半円部３０ａ，３０ｂには、それぞれ、「ＨＯＴ」，「ＣＯＬＤ」の文字がそれぞれ印字されたラベル３４ａ，３４ｂが貼り付けられている。ここで、冷温表示板３０が、ラベル３４ｂの貼り付けられた半円部３０ｂを図３５（ａ）中上側、ラベル３４ａの貼り付けられた半円部３０ａを図中下側にして、押釦１４内に納装された状態で、冷温表示板３０裏面の円周部における図中下側の部位に操作レバー３２が背面側に向かって突設されている。
【００７３】
一方、裏カバー３の円板部９には操作部３２ａをガイドするガイド溝９ｂが設けられており、ガイド溝９ｂは背面側から見て図３５（ｂ）中左側に凸となっている。ここで、操作レバー３２の操作部３２ａをガイド溝９ｂの図中上側の端まで移動させると、ラベル３４ａの貼り付けられた半円部３０ａが押釦１４の透光窓１４ａに臨む位置まで移動し、透光窓１４ａを介してラベル３４ａの「ＨＯＴ」という表示を読み取ることができる。一方、操作レバー３２の操作部３２ａをガイド溝９ｂの図中下側の端まで移動させると、ラベル３４ｂの貼り付けられた半円部３０ｂが押釦１４の透光窓１４ａに臨む位置まで移動し、透光窓１４ａを介してラベル３４ｂの「ＣＯＬＤ」という表示を読み取ることができる。
【００７４】
ここで、ガイド溝９ｂは背面側から見て図中左側に凸となっているので、図中上側の端から図中下側の端に操作部３２ａを移動させる際は、操作部３２ａの自重によって操作部３２ａが図中下側の端まで自然落下するため、操作部３２ａの操作を容易に行うことができる。尚、本実施形態では裏カバー３の円板部９に背面側から見て図中左側に凸となる円弧状のガイド溝９ｂを形成しているが、ガイド溝９ｂの形状を上記の形状に限定する趣旨のものではなく、鉛直方向と交差する方向に凸となる円弧状であればどのような形状でも良い。
【００７５】
ところで、本実施形態の自動販売機用スイッチＡでは、器体１内に押釦スイッチ１１が複数個（例えば４個）納装され、各押釦スイッチ１１を押し操作するための押釦１４が複数個（例えば４個）取り付けられているが、押釦スイッチ１１や押釦１４の個数を４個に限定する趣旨のものではなく、図３６は器体１内に押釦スイッチ１１が１個納装され、押釦スイッチ１１を押し操作するための押釦１４が１個設けられた自動販売機用スイッチＡの例である。
【００７６】
（実施形態８）
本実施形態の自動販売機用スイッチＡを図３７乃至図３９を参照して説明する。自動販売機用スイッチＡの器体１は、前カバー２と裏カバー３との間に自動販売機本体Ｂの透光性を有する取付板５０を挟んだ状態でねじなどを用いて取付板５０に固定され、自動販売機用スイッチＡの近傍には対応する商品が陳列されている。尚、取付板５０には後述する前カバー２の貫通孔６に連通する連通孔が穿孔されている。
【００７７】
前カバー２は合成樹脂成形品からなり、背面が開口した略箱状であって前面が略矩形状に形成された主部４が複数個連結片４ａを介して一列に連結され、各主部４の一辺に前面が略半円形に形成された張出部５を突設したような形状に形成されており、前カバー２の前面には前カバー２を貫通する断面略円形の貫通孔６が開口している。
【００７８】
裏カバー３は合成樹脂成型品からなり、前面が開口した略箱状であって、背面が略矩形状に形成され一辺に略半月状の張出部８ｂが突設された主部８が複数個連結片を介して一列に連結されたような形状に形成されており、主部８には裏カバー３を貫通する略矩形状の窓孔１０が形成されている。
【００７９】
裏カバー３には、押釦スイッチ１１や、発光ダイオード１２ａ，１２ｂなどが実装されたプリント基板１３が取り付けられている。プリント基板１３における押釦１４の中心に対応する部位には押釦スイッチ１１が実装され、押釦スイッチ１１に対して図３７（ａ）中下側には発光ダイオード１２ａ，１２ｂが上下に並べて実装されている。尚、上側に実装された発光ダイオード１２ａは、点灯状態に応じて例えば販売可能状態を表示するための表示灯であり、下側に実装された発光ダイオード１２ｂは、対応する商品の売り切れ時に点灯して売切状態表示（「売切」）を行うための表示灯である。
【００８０】
また、前カバー２の貫通孔６には、押釦スイッチ１１の押し操作部１１ａを押し操作するための押釦１４が前後動自在に取り付けられている。押釦１４は、略円板状であって貫通孔６から前面側に露出する操作部１５と、操作部１５の円周部から背面側に垂下された側片１６とを有している。押釦１４の裏面には断面略コ字状の中カバー１８が取り付けられており、中カバー１８の側片１８ａ，１８ａは押釦スイッチ１１の側面と当接しているので、押釦スイッチ１１の側面に沿って押釦１４を移動させることができる。また、側片１６の後縁には円周方向に突出する鍔部１７が形成されているので、前カバー２の裏面側から貫通孔６内に、操作部１５を前面側にして押釦１４を挿入すると、鍔部１７が貫通孔６の縁と係止して、押釦１４の前面側への移動が規制され、抜け止めが行われる。
【００８１】
ところで、押釦１４は透光性を有する合成樹脂から形成されており、略半円状の透光窓１４ａ及び発光ダイオード１２ａ，１２ｂからの光を透過させる透光部１４ｂ，１４ｃ以外の部位には例えばインモールドコーティングなどの技術を用いて表面に黒色の塗装が施されている。尚、押釦１４の裏面には、発光ダイオード１２ａ，１２ｂからの光をそれぞれ透光部１４ｂ，１４ｃに導くリブ１４ｄ，１４ｅが突設されており、リブ１４ｄによって発光ダイオード１２ａ，１２ｂからそれぞれ照射される光が分離されている。
【００８２】
また押釦１４の裏面における透光窓１４ａに対応する部位には、押釦１４の裏面との間に略半円状のラベル３５を保持する開閉扉３６が開閉自在に取り付けられている。押釦１４の裏面と開閉扉３６との間には冷温表示用のラベル３５が保持されているので、透光窓１４ａを介してラベル３５の表示を外部から読み取ることができる。尚、開閉扉３６の弦となる辺には略Ｌ字状の軸３６ａ，３６ａが突設されており、軸３６ａ，３６ａを押釦１４に設けた軸受部（図示せず）に軸支することにより、開閉扉３６が押釦１４の裏面に開閉自在に取り付けられる。また、開閉扉３６には背面側に突出する操作つまみ４３が突設されているので、操作つまみ４３を用いて開閉扉３６を容易に開閉させることができる。ここで、「ＨＯＴ」，「ＣＯＬＤ」などの文字がそれぞれ印字された表示内容の異なるラベル３５が複数用意されているので、開閉扉３６を開いてラベル３５を交換するだけで、冷温表示の内容を容易に切り替えることができる。
【００８３】
また、図３７（ａ）に示すように前カバー２の張出部５と裏カバー３の張出部８ｂの位置を合わせて、前カバー２と裏カバー３とを結合すると、窓孔１０が形成された裏カバー３の部位は、前カバー２の主部４から図中上方に突出しており、前カバー２の主部４から
図中上方に突出する裏カバー３の部位には、透光性を有する樹脂から形成されたレンズ２１が取り付けられている。一方、裏カバー３の窓孔１０内には窓孔１０を塞ぐ蓋板４２が開閉自在に取り付けられ、取付板５０と蓋板４２との間には対応する商品の価格を示す文字（「￥１２０」）が記載されたラベル４０が納められており、ラベル４０の文字は取付板５０及びレンズ２１を介して自動販売機用スイッチＡの外部より視認可能となっている。ここで、蓋板４２は両側辺に突設された軸４２ａ，４２ａを器体１に設けた軸受部（図示せず）で軸支することにより、器体１に開閉自在に取り付けられている。また、蓋板４２には背面側に突出する操作つまみ４３が突設されているので、操作つまみ４３を用いて蓋板４２を容易に開閉させることができる。したがって、表示内容の異なるラベル４０を複数用意しておけば、蓋板４１を開けてラベル４０を交換するだけで、表示内容を容易に変更することができる。
【００８４】
ところで、器体１の内部には、押釦１４の側片１６と前カバー２の貫通孔６との間の隙間から器体１の内部に水などの異物が浸入するのを防止する防水パッキン２０が設けられている。防水パッキン２０は略円環状であって、防水パッキン２０の一方の円周部は貫通孔６の内面に接合され、他方の円周部は側片１６の内面に接合されている。而して、防水パッキン２０により押釦１４の側片１６と前カバー２の貫通孔６との間の隙間がシールされ、器体１の内部に水などの異物が浸入するのを防止することができる。また、押釦１４を前面側から背面側に押し操作すると、防水パッキン２０が押し撓められるので、防水パッキン２０の弾性力により押釦１４を復帰位置に移動させる復帰力を与えることができる。尚、図示は省略するが、押釦１４と裏カバー３との間に、押釦１４の押し操作時に撓められ、弾性力が蓄えられるコイルばねを配置し、コイルばねと防水パッキン２０の弾性力によって押釦１４を復帰位置に移動させる復帰力を押釦１４に与えるようにしても良い。
【００８５】
尚、上述の各実施形態では情報表示部の表示内容として冷温表示や価格表示を例に説明したが、表示内容を上記の内容に限定する趣旨のものではなく、対応する商品に関する情報であればどのような情報でも良い。
【００８６】
【発明の効果】
上述のように、請求項１の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、当該固定用部材はボディとカバーとをねじ結合するねじ部材からなり、カバーの背面側にボディ及び前面パネルにそれぞれ穿設した挿入孔に挿入される略円筒状の筒部を突設し、該筒部の周面にねじ部を設け、前記ねじ部材を、有底円筒状であって、筒部のねじ部に螺合するねじ部が周面に形成されたキャップ部材から構成したことを特徴とし、スイッチ本体はカバー側ブロックとボディ側ブロックとに分離されており、固定用部材を用いてカバー側ブロックとボディ側ブロックとの間に前面パネルを挟持した状態で前面パネルに取り付けられているので、メンテナンス時はボディ側ブロックのみ又はカバー側ブロックのみを交換することができ、スイッチ本体毎を交換する場合に比べてメンテナンス費用を安くできるという効果がある。しかも、複数のボディがボディ連結部を介して連結されると共に、複数のカバーがカバー連結部を介して連結されており、スイッチ本体に複数の選択操作部及び選択スイッチが設けられているので、複数の選択操作部及び選択スイッチの取付作業を一度に行うことができ、取付作業の作業性が向上するという効果がある。
【００８７】
請求項２の発明は、請求項１の発明において、プリント基板における各選択スイッチの実装部位の間の部位を通すための切欠部を前記筒部の周面に形成したことを特徴とし、プ
リント基板における各選択スイッチの実装部位の間の部位は筒部の周面に設けた切欠部に配置されるので、複数の選択スイッチを１枚のプリント基板に実装することができ、複数の選択スイッチを別々のプリント基板に実装する場合に比べてプリント基板の取り付けの手間を少なくできるという効果がある。
【００８８】
請求項３の発明は、請求項２の発明において、前記プリント基板における各選択スイッチの実装部位の間の部位がボディ連結部内に納装されることを特徴とし、ボディ連結部をプリント基板の収納部に兼用できるという効果がある。
【００８９】
請求項４の発明は、請求項１の発明において、前記筒部の背面に対向配置され、前記筒部の内側への撓み量を規制するリブをボディに設けたことを特徴とし、リブによって筒部の内側への撓み量が規制されるから、筒部が内側に撓むことによってキャップ部材の締め付け強度が低下するのを防ぐことができ、締め付け強度を十分確保できるという効果がある。
【００９０】
請求項５の発明は、請求項２の発明において、前記プリント基板がＭＩＤからなることを特徴とし、請求項２の発明と同様の効果を奏する。
【００９１】
請求項６の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、対応する商品の情報を表示する情報表示板を取り付ける取付手段をボディ連結部に設けたことを特徴とし、選択操作部毎に情報表示板を取り付けることができるから、商品選択時に選択操作部の押し間違えが発生するのを防止でき、且つ、ボディ連結部に取付手段を設けているので、ボディ連結部を有効に利用できるという効果がある。
【００９２】
請求項７の発明は、請求項６の発明において、両端に位置するボディ及びボディ連結部に、複数のボディの連結方向と略直交する方向に突出する支持リブを設け、前記取付手段は、各支持リブにおける隣接する支持リブとの対向面にそれぞれ形成され、情報表示板の端縁と係止する係止溝からなることを特徴とし、係止溝と情報表示板の端縁とを係止することにより、別途の部材や工具を必要とすることなく、情報表示板を容易に取り付けることができるという効果がある。
【００９３】
請求項８の発明は、請求項２の発明において、外部からの信号線が着脱自在に接続されるコネクタをプリント基板に設けたことを特徴とし、信号線の着脱作業を容易に行えるという効果がある。
【００９４】
請求項９の発明は、請求項８の発明において、前記プリント基板における各選択スイッチの実装部位の間の部位がボディ連結部内に配置され、前記コネクタはボディ連結部内に配置されるプリント基板の部位に実装されることを特徴とし、ボディ連結部に配置されるプリント基板の部位を有効に利用することができるという効果がある。
【００９５】
請求項１０の発明は、請求項１の発明において、前記キャップ部材の底面に工具の先端と係止する工具係止部を形成したことを特徴とし、工具を用いてキャップ部材の着脱作業を行うことができ、着脱作業の作業性が向上し、且つ締付トルクを十分確保できるという効果がある。
【００９６】
請求項１１の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロ
ックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材とを備え、前記選択操作部は、カバーに穿設された釦挿通孔に挿通され、釦挿通孔から操作面が露出する操作釦を有し、操作釦の背面周縁部から背面側に向かって突出する弾性係止片を突設し、該弾性係止片の先端に釦挿通孔の端縁と係止する係止爪を設けたことを特徴とし、操作釦は係止爪と釦挿通孔の端縁とを係止させることによってカバーに取り付けられるので、係止爪と釦挿通孔の端縁との係止状態を解除することにより、操作釦をカバーから容易に取り外すことができ、操作釦が破損した場合には操作釦のみを交換することができるから、メンテナンス費用を低減できるという効果がある。
【００９７】
請求項１２の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は、回転表示体の回転方向を含む面内において選択操作部に設けた鉛直下向きに開口する開口窓から外部に突出することを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は選択操作部に設けた鉛直下向きに開口する開口窓から突出しており、開口窓は鉛直下向きに開口しているので、埃などが選択操作部の内部に侵入するのを防止できるという効果がある。
【００９８】
請求項１３の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた
回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向下方に凸のガイド溝を選択操作部に設け、操作レバーの他端をガイド溝から外部に突出させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向下方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上するという効果がある。
【００９９】
請求項１４の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向上方に凸のガイド溝を選択操作部に設け、操作レバーの他端をガイド溝から外部に突出させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向上方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上するという効果がある。しかも、ガイド溝が鉛直下方に凸となっている場合は、ガイド溝の最下点に埃などが集まるため、埃などが溜まりやすく、ガイド溝から選択操作部内に埃などが侵入する虞があるが、ガイド溝は鉛直上方に凸となっているので、鉛直下方に凸となっている場合に比べて、ガイド溝の最下点に埃などが溜まりにくく、ガイド溝から選択操作部内に埃などが侵入するのを防止できるという効果もある。
【０１００】
請求項１５の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設
けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、選択操作部の操作面の背面側に配置され、選択操作部の操作面と略平行な面内において回動自在に選択操作部に取り付けられた回転表示体を具備し、操作面の背面と対向する回転表示体の面には、異なる表示内容がそれぞれ表示された複数の表示部が回転方向に沿って配置されており、表示切換手段は、一端が回転表示体に結合され、操作に応じて所定の表示部が自動販売機の外部より目視可能となる位置に回転表示体を回転させる手動操作用の操作レバーからなり、操作レバーの他端は回転表示体の回転方向を含む面と略直交する方向に突出し、円弧状であって鉛直方向に対して交差する方向に凸となるガイド溝を選択操作部に設け、操作レバーの他端をガイド溝から外部に突出させてなることを特徴とし、選択操作部の操作面の裏側面と対向する回転表示体の面には複数の表示部が円周方向に沿って設けられているので、操作レバーを用いて回転表示体を回転させることによって、自動販売機の外部より目視可能となる位置にある表示部を切り換えることができるから、表示手段の表示内容を容易に変更することができ、且つ、操作レバーの他端は、選択操作部に設けた鉛直方向上方に凸の円弧状のガイド溝内に挿入され、回転表示体の回転方向を含む面と略直交する方向に突出しており、操作レバーを操作する際に、操作レバーの他端をガイドするガイド溝が見えるので、操作レバーの切換位置を容易に把握することができ、操作レバーの操作性が向上するという効果がある。しかも、ガイド溝は鉛直方向に対して交差する方向に凸となっているので、操作レバーの他端をガイド溝の鉛直上側の端から鉛直下側の端へ移動させる際に、操作レバーを自重により自然落下させることができ、操作レバーの操作を容易に行えるという効果もある。
【０１０１】
請求項１６の発明は、１乃至複数の商品が陳列される商品陳列部を前面に有し該商品陳列部が透光性を有する前面パネルによって閉塞された自動販売機本体の前面に各商品に対応して設けられ、操作によって指定された商品を販売するための選択操作部がそれぞれ設けられた複数のカバーがカバー連結部を介して一列に連結されたカバー側ブロック、及び、選択操作部の選択操作に応じて操作される選択スイッチをそれぞれ収納する複数のボディがカバー連結部に対向配置されるボディ連結部を介して一列に連結されたボディ側ブロックから構成されるスイッチ本体と、前記複数の選択スイッチが実装されてボディ側ブロックに収納されるプリント基板と、カバー側ブロック及びボディ側ブロックの間に前面パネルを挟持した状態でスイッチ本体を自動販売機本体に取り付けるための固定用部材と、選択操作部の操作面から目視可能な状態で選択操作部に設けられ対応する商品の情報を表示する情報表示部とを備え、前記情報表示部を、複数の表示内容を有する表示手段と、表示手段の表示内容の内、自動販売機の外部より目視可能な状態にする表示内容を選択的に切り換える表示切換手段とで構成し、表示手段は、異なる表示内容がそれぞれ表示された複数のラベルからなり、表示切換手段は、選択操作部の裏面に対して開閉自在に設けられ選択操作部の裏面との間で何れかのラベルを保持する開閉扉からなることを特徴とし、表示内容の異なるラベルが複数用意されているので、開閉扉を開いてラベルを交換するだけで、表示内容を容易に変更することができ、且つ、選択操作部に開閉扉を設けているだけなので、表示切換手段を簡単な構成で実現できるから、表示切換手段を収納するスペースを小さくでき、設計の自由度が向上するという効果がある。
【図面の簡単な説明】
【図１】実施形態１の自動販売機用スイッチを前面側から見た分解斜視図である。
【図２】同上の自動販売機用スイッチを背面側から見た分解斜視図である。
【図３】（ａ）は同上の正面図、（ｂ）は同上の側面図、（ｃ）は同上の下面図である。
【図４】同上の背面図である。
【図５】同上の一部省略せる断面図である。
【図６】同上を自動販売機本体に取り付けた状態を背面側から見た斜視図である。
【図７】同上のカバー側ブロックを示し、（ａ）は正面図、（ｂ）は一部破断せる下面図である。
【図８】同上のカバー側ブロックを背面側から見た図である。
【図９】同上のカバー側ブロックを示す分解斜視図である。
【図１０】同上のカバー側ブロックを示す分解斜視図である。
【図１１】同上のボディ側ブロックを示し、（ａ）は正面側から見た図、（ｂ）は一部破断せる下面図である。
【図１２】同上のボディ側ブロックを背面側から見た図である。
【図１３】同上の自動販売機用スイッチを示し、（ａ）は一部省略せる正面図、（ｂ）は一部省略せる背面図である。
【図１４】同上に用いるキャップを示し、（ａ）は正面図、（ｂ）は側面図、（ｃ）は断面図である。
【図１５】同上に用いるキャップの取付方法を説明する説明図である。
【図１６】同上の内部回路図である。
【図１７】同上の自動販売機用スイッチに信号線を配線した状態を示し、（ａ）は正面図、（ｂ）は側面図、（ｃ）は背面図である。
【図１８】同上の別の自動販売機用スイッチを示し、（ａ）は正面図、（ｂ）は一部破断せる下面図である。
【図１９】同上に用いる押釦を示し、（ａ）は一部省略せる側面図、（ｂ）は一部省略せる断面図である。
【図２０】実施形態２の自動販売機用スイッチを示し、（ａ）は一部破断せる下面図、（ｂ）は背面図である。
【図２１】実施形態３の自動販売機用スイッチの一部破断せる下面図である。
【図２２】同上の背面図である。
【図２３】同上に用いるキャップを示し、（ａ）は正面図、（ｂ）は側面図である。
【図２４】同上の要部拡大図である。
【図２５】実施形態４の自動販売機用スイッチを示し、（ａ）は正面図、（ｂ）は下面図、（ｃ）は右側から見た断面図、（ｄ）は裏面図である。
【図２６】同上の要部拡大図である。
【図２７】同上の自動販売機本体への取付状態を示し、（ａ）は正面図、（ｂ）は裏面図である。
【図２８】同上の別の自動販売機用スイッチの正面側から見た分解斜視図である。
【図２９】同上の裏面側から見た分解斜視図である。
【図３０】同上の裏面側から見た斜視図である。
【図３１】実施形態５の自動販売機用スイッチを示し、（ａ）は右側から見た断面図、（ｂ）は裏面図である。
【図３２】同上の別の自動販売機用スイッチの裏面側から見た斜視図である。
【図３３】実施形態６の自動販売機用スイッチを示し、（ａ）は右側から見た断面図、（ｂ）は裏面図である。
【図３４】同上の別の自動販売機用スイッチの裏面側から見た斜視図である。
【図３５】実施形態７の自動販売機用スイッチを示し、（ａ）は右側から見た断面図、（ｂ）は裏面図である。
【図３６】同上の別の自動販売機用スイッチの裏面側から見た斜視図である。
【図３７】実施形態８の自動販売機用スイッチを示し、（ａ）は正面図、（ｂ）は下面図、（ｃ）は右側から見た断面図である。
【図３８】同上の裏面図である。
【図３９】同上の裏面側から見た斜視図である。
【図４０】従来の自動販売機用スイッチを用いた自動販売機の外観斜視図である。
【図４１】同上の自動販売機用スイッチの分解斜視図である。
【図４２】同上の自動販売機用スイッチを示し、（ａ）は正面図、（ｂ）は上面図、（ｃ）は下面図、（ｄ）は背面図である。
【符号の説明】
Ａ  自動販売機用スイッチ
Ｂ  自動販売機本体
１  器体
１１  押釦スイッチ
１３  プリント基板
１４  押釦
５０  取付板
６０  ボディ側ブロック
６１  カバー側ブロック
６４ｅ  リブ
６４ｆ  ねじ部
６８  キャップ
【図１】
0003564498.tif 000002
【図２】
0003564498.tif 000003
【図３】
0003564498.tif 000004
【図４】
0003564498.tif 000005
【図５】
0003564498.tif 000006
【図６】
0003564498.tif 000007
【図７】
0003564498.tif 000008
【図８】
0003564498.tif 000009
【図９】
0003564498.tif 000010
【図１０】
0003564498.tif 000011
【図１１】
0003564498.tif 000012
【図１２】
0003564498.tif 000013
【図１３】
0003564498.tif 000014
【図１４】
0003564498.tif 000015
【図１５】
0003564498.tif 000016
【図１６】
0003564498.tif 000017
【図１７】
0003564498.tif 000018
【図１８】
0003564498.tif 000019
【図１９】
0003564498.tif 000020
【図２０】
0003564498.tif 000021
【図２１】
0003564498.tif 000022
【図２２】
0003564498.tif 000023
【図２３】
0003564498.tif 000024
【図２４】
0003564498.tif 000025
【図２５】
0003564498.tif 000026
【図２６】
0003564498.tif 000027
【図２７】
0003564498.tif 000028
【図２８】
0003564498.tif 000029
【図２９】
0003564498.tif 000030
【図３０】
0003564498.tif 000031
【図３１】
0003564498.tif 000032
【図３２】
0003564498.tif 000033
【図３３】
0003564498.tif 000034
【図３４】
0003564498.tif 000035
【図３５】
0003564498.tif 000036
【図３６】
0003564498.tif 000037
【図３７】
0003564498.tif 000038
【図３８】
0003564498.tif 000039
【図３９】
0003564498.tif 000040
【図４０】
0003564498.tif 000041
【図４１】
0003564498.tif 000042
【図４２】
0003564498.tif 000043